(57)【要約】【課題】双方向デジタルＣＡＴＶシステムでは、上記のとおり上り信号のタイミングを認識するために、システムの全受信機が同一の下り制御信号を常に受信しておかねばならない。しかし、そのためにヘッドエンドではＱＰＳＫの変調器、また受信機ではＱＰＳＫの復調回路を有せばならず、その分のコストは削減できない。【解決手段】この発明に関わる上り信号制御方式は、ＣＡＴＶ端末が映像を受信するために選局、受信しているデジタル信号中に、従来専用の制御チャンネルで伝送していた上り制御信号を挿入し、前記専用の制御チャンネルを不要とするものである。【選択図】  図３
2004304701.tif 000002
【特許請求の範囲】
【請求項１】
双方向のＣＡＴＶシステムに於いて、上りデータの送信タイミングを示す下りデータが複数の下り信号に挿入され、各該当データ中に本来の送信タイミングとの差を示すデータを有することを特徴とするＣＡＴＶの上り信号制御方式。
【請求項２】
前記本来の送信タイミングとの差を示すデータは、個々の挿入された信号毎に設定されることを特徴とする請求項１記載のＣＡＴＶの上り信号制御方式。
【請求項３】
下り信号は、ＱＡＭ変調等を用いたデジタル信号であることを特徴とする請求項１記載のＣＡＴＶの上り信号制御方式。
【発明の詳細な説明】
【０００１】
【発明の属する技術分野】
本発明は、双方向デジタルＣＡＴＶにおける、上り信号制御方式に関するものである。
【０００２】
【従来の技術】
図５は、従来の双方向ＣＡＴＶを構成するヘッドエンド３０と、双方向デジタルＣＡＴＶ受信機５０の構成を示す図である。ヘッドエンド３０は、デジタルの映像信号をＱＡＭ変調器３１、３２、３３で６４ＱＡＭまたは２５６ＱＡＭの信号に変調して送信する。一方、端末を制御する信号は前記ＱＡＭ信号とは別の周波数で、ＱＰＳＫ変調方式等で変調され送信する。この変調器がＱＰＳＫ変調器３４である。一方ＣＡＴＶ受信機からの上り信号は同じくＱＰＳＫ方式を用いて変調されヘッドエンド３０に向かって送信される。この信号はＱＰＳＫ復調器２５で復調され、システム全体を制御する制御装置２６へ渡される。
【０００３】
双方向受信機５０は、上記下りの制御信号をＱＰＳＫ復調回路４４で復調し、受信機を制御するＣＰＵ４７へ渡される。ＣＰＵはヘッドエンドに対して、何らかの応答が必要な場合、および、ヘッドエンドに対して何からの要求が発生した場合、その信号をＱＰＳＫ変調回路４５でＱＰＳＫの信号に変調し、ヘッドエンドに送信する。
【０００４】
上記下り、上り制御信号の物理的な送信タイミング、方式には色々なものがあるが、双方向のデジタルＣＡＴＶシステムで使用される方式の一例として、米国のＯｐｅｎ  Ｃａｂｌｅ  ＣＡＴＶシステムで規定されたＤＶＳ−１６７がある（例えば、非特許文献１参照。）。
【０００５】
図６を用いて、ＤＶＳ−１６７で規定される上り信号の送信方法に関して説明する。下り、上り信号はＱＰＳＫ変調方式を用い、上り信号は時間軸で多重を制御するＴＤＭＡ方式が使用される。各通信単位は５３バイトのＡＴＭセルが用いられる。ここで、上り／下り共に１．５４４Ｍｂｐｓの通信方式に場合、９ヶのＡＴＭセル伝送分の時間を基本単位として上り信号のタイミングを規定している。また、そのタイミングは、下りのＱＰＳＫ信号を基準にしており、図６の例では１３ｃ、１３ｄ、及び１４ｃ、１４ｄがそのタイミング基準を示す。双方向デジタルＣＡＴＶ受信機５０は、常に下りのＱＰＳＫ信号を受信し、その上り送信タイミングを認識しなければならない。
【０００６】
【非特許文献１】
ＳＣＴＥ  ＤＶＳ  １６７、“Ｄｉｇｉｔａｌ  Ｂｒｏａｄｂａｎｃ  Ｄｅｌｉｖｅｒｙ  Ｓｙｓｔｅｍ  ：  Ｏｕｔ  Ｏｆ  Ｂａｎｄ  Ｔｒａｎｓｐｏｒｔ”、１９９８年１０月１０日  インターネット＜ＵＲＬ  ｈｔｔｐ：／／ｗｗｗ．ｓｃｔｅ．ｏｒｇ／ｓｔａｎｄａｒｄｓ／ｓｔａｎｄａｒｄｓａｖａｉｌａｂｌｅ．ｈｔｍｌ  ＞  第２章  “ＤＡＶＩＣ  Ｏｕｔ  ｏｆ  Ｂａｎｄ  Ｕｐｓｔｒｅａｍ  Ｓｉｇｎａｌｉｎｇ”
【０００７】
【発明が解決しようとする課題】
双方向デジタルＣＡＴＶシステムでは、上記のとおり上り信号のタイミングを認識するために、システムの全受信機が同一の下り制御信号を常に受信しておかねばならない。しかし、そのためにヘッドエンドではＱＰＳＫの変調器、また受信機ではＱＰＳＫの復調回路を有せばならず、その分のコストは削減できない。
【０００８】
本発明は、双方向ＣＡＴＶシステムで、下り制御信号が無くとも上り信号の送信スロットを正確に認識出来る双方向デジタルＣＡＴＶ受信機を実現するものである。これのより、安価な受信機を構成できる。
【０００９】
【課題を解決するための手段】
この発明に関わる上り信号制御方式は、ＣＡＴＶ端末が映像を受信するために選局、受信しているデジタル信号中に、従来専用の制御チャンネルで伝送していた上り制御信号を挿入し、前記専用の制御チャンネルを不要とするものである。
【００１０】
更に、前記映像を受信するためのデジタル信号に挿入した下り制御信号には、個々の下り制御信号のずれを示す時間差情報を挿入し、上り信号のタイミングを合わせることを目的としている。
【００１１】
【発明の実施の形態】
以下、本発明の実施の一形態を説明する。
【００１２】
（実施の形態１）
図１は、実施の形態１における、上り制御信号の伝送方式を示す図である。同図において、上り制御信号Ｓｎ、Ｓｎ＋１（システムの制御情報も含む）は、下りの映像信号を伝送するデジタル信号の中に時間多重されて伝送される。前記デジタル信号は、６４ＱＡＭや、２５６ＱＡＭ方式で変調されている。
【００１３】
図２は、上り制御信号Ｓｎ（Ｓｎ＋１）中に含まれる、時間差情報Ｔｄを示す。この時間差情報Ｔｄは、上り制御信号Ｓｎ中のどこの挿入されても良い。
【００１４】
図３は、時間差情報Ｔｄを説明する図である。従来の様に下りの制御信号を専用に持っている場合、全ての受信機がその信号を受け、上り信号のタイミングを認識するが、本発明では、この信号は存在せず、受信機は、現在映像を受信している６４ＱＡＭ、または２５６ＱＡＭ下りデジタル信号中から、その情報を得る。しかし、下りデジタル信号は複数あり、受信機はそれぞれ別な下りデジタル信号を受けている。また、下りデジタル信号の情報は一様でなく、前記上り制御信号Ｓｎをそれら複数の下りデジタル信号に同一タイミングで挿入することは不可能である。図３で、１３ａは本来上り制御信号Ｓｎが挿入されるべきタイミングを示す。ＱＡＭ（ｉ）の下りデジタル信号では、本来のタイミングから、ｔ（ｉ）時間遅れて、上り制御信号Ｓｎが挿入されていることを示している。ＱＡＭ（ｉ＋１）では、ｔ（ｉ＋１）、ＱＡＭ（ｊ）ではｔ（ｊ）時間それぞれ遅れている。
【００１５】
各上り制御信号Ｓｎは、これらの時間情報をＴｄとして上り制御信号Ｓｎ中に持ち、受信機に伝える。すなわち、ＱＡＭ（ｉ）に多重された上り制御信号ＳｎではＴｄ＝ｔ（ｉ）、同じくＱ（ｉ＋１）では、Ｔｄ＝ｔ（ｉ＋１）、Ｑ（ｊ）では、Ｔｄ＝ｔ（ｊ）となる。
【００１６】
上り制御信号Ｓｎを受信した受信機は、Ｔｄの値を補正値として次回の上り信号のタイミング１４ｂを上り制御信号Ｓｎを受信したタイミング１５から、以下の様に求める。
【００１７】
Ｔｓｌｏｔ―Ｔｄ
ここで、Ｔｓｌｏｔは、上り信号のタイムスロットの間隔（１３ｂと１４ｂの間隔であり、またこれは、１３ａと１４ａの間隔と同一、システムで一定値）である。
【００１８】
図４は、本発明の実施の形態１を実現するヘッドエンドと受信機の構成を示す図である。同図において、ヘッドエンド２０は図５のヘッドエンド３０と比較して、ＱＰＳＫ変調機３４を有していない。また、各ＱＡＭ変調機２１、２２、２３は端末に送るデジタル信号と、制御装置２６からの信号入力を持つ。制御装置２６から、上り制御信号Ｓｎが全てのＱＡＭ変調機（２１、２２、２３）へ同時に入力される。各ＱＡＭ変調機（２１、２２、２３）はその上り制御信号Ｓｎの送出タイミングの遅れをＴｄとして上り制御信号Ｓｎ中にそれぞれ挿入し、双方向デジタルＣＡＴＶ受信機４０へ送出される。
【００１９】
図４中の双方向デジタルＣＡＴＶ受信機４０は、本実施の形態１を実現する受信機である。図５の従来の双方向デジタルＣＡＴＶ受信機５０との差は、ＱＰＳＫ変調回路４４が存在しない。また、ＣＰＵ４６はＱＡＭ復調回路４２の出力から、多重された上り制御信号Ｓｎを検出し、上り信号の送信のタイミングを決定している。
【００２０】
【発明の効果】
以上の様に、本発明のよれば、専用の下り制御信号が無くとも、上り信号の送出タイミングを各受信機は正確に認識し、上り信号の送信が可能になる。またこれは、受信機の構成を簡略化し、安価な機器を供給可能とするものである。
【図面の簡単な説明】
【図１】本発明の実施の形態１における上り信号制御信号を示す図
【図２】本発明の実施の形態１における上り信号制御信号の構成を示す図
【図３】本発明の実施の形態１における上り信号制御信号と、各下りデジタル信号の関係を示す図
【図４】本発明の実施の形態１におけるヘッドエンド、および双方向デジタルＣＡＴＶ受信機の構成を示す図
【図５】従来の双方向デジタルＣＡＴＶシステムにおけるヘッドエンド、および双方向デジタルＣＡＴＶ受信機の構成を示す図
【図６】従来の双方向デジタルＣＡＴＶシステムにおける下り制御信号と上り信号のタイミングを説明する図
【符号の説明】
下りデジタル信号中の映像信号
上り制御信号
８  上り制御信号中の時間差情報
１１ａ、１１ｂ、１１ｃ、１２ａ、１２ｂ、１２ｃ  上り制御信号
１３ａ、１３ｂ、１３ｃ、１３ｄ、１４ａ、１４ｂ、１４ｃ、１４ｄ  上り信号の送出タイミング
３０  ヘッドエンド
３１、３２、３３  ＱＡＭ変調器
３４  ＱＰＳＫ変調器
３５  ＱＰＳＫ復調器
３６  制御装置
４１  チューナ
４２  ＱＡＭ復調回路
４３  ＭＰＥＧデコーダー
４４  ＱＰＳＫ復調回路
４５  ＱＰＳＫ変調回路
４７  ＣＰＵ
５０  双方向デジタルＣＡＴＶ受信機
【図１】
2004304701.tif 000003
【図２】
2004304701.tif 000004
【図３】
2004304701.tif 000005
【図４】
2004304701.tif 000006
【図５】
2004304701.tif 000007
【図６】
2004304701.tif 000008